(57)【特許請求の範囲】
【請求項１】
対象物を包装するための、上面とこの上面に対向する下面と、それぞれ前記上面及び前記下面と接合し、内折れする折り目が形成された対向二側面とを有する包装袋の袋口を開閉する機構を備えた開閉手段と、
前記対象物を保持しつつ前記包装袋に挿入する機構を備えた挿入手段と、
前記包装袋に前記対象物が挿入された後に折りたたまれた袋口の所定部位をシールして当該袋口を封止する封止手段と、を有しており、
前記開閉手段は、前記袋口を前記対象物の挿入方向に向けた状態でこの包装袋の上面と前記対向二側面それぞれとの二面接合部位を狭持する第一のクランプ群と、当該包装袋の下面と当該対向二側面それぞれとの二面接合部位を狭持する第二のクランプ群とを含んで構成されており、当該第一のクランプ群と当該第二のクランプ群の少なくとも一方を相反する方向に移動させることにより当該袋口を開き、当該対象物が当該包装袋に挿入された後に当該第一のクランプ群のうち前記封止手段によりシールされる部位を定める第一のクランプと、当該第二のクランプ群のうち当該封止手段によりシールされる部位を定める第二のクランプとを相互に近接する方向に移動させながらこれらのクランプを当該対象物に近づく方向に移動させ、これにより当該対象物の周囲に存在する気体を当該包装袋の外部へ押し出して当該袋口を閉じることを特徴とする、
包装装置。
【請求項２】
前記開かれた袋口の内側からそれぞれ異なる放射方向に向けて移動する複数の整形部材を備え、これらの整形部材により当該袋口の形状を、前記対象物毎に挿入時の接触が回避される形状に強制的に整形するとともに、整形された袋口の形状を、前記包装袋への前記対象物の挿入が終了するまで維持させる整形手段をさらに有することを特徴とする、
請求項１に記載の包装装置。
【請求項３】
前記整形手段は、整形する際に前記袋口に作用する引張力を検知する検知手段を備え、この検知手段による検知結果が所定の基準値を超えた場合に前記複数の整形部材それぞれの移動を停止させることを特徴とする、
請求項２に記載の包装装置。
【請求項４】
前記包装袋に前記対象物が挿入されたことが検知されたときに、それぞれ前記対向二側面の外側から内側に向けて移動して当該対向二側面を内側に折りたたむための機構を備えた側面折手段をさらに有することを特徴とする、
請求項１、２又は３に記載の包装装置。
【請求項５】
前記開閉手段は、前記側面折手段による前記対向二側面の折りたたみと連動して、前記第一のクランプと、前記第二のクランプとを相互に近接する方向に移動させながら当該第一のクランプと当該第二のクランプとを当該対象物に近づく方向に移動させ、これにより当該対象物の周囲に存在する気体を前記包装袋の外部へ押し出して袋口を閉じることを特徴とする、
請求項４に記載の包装装置。
【請求項６】
対象物を包装するための包装袋を包装装置まで搬送する搬送装置と、当該対象物の包装を行う当該包装装置とを含む包装システムであって、
前記包装装置は、
前記搬送装置により搬送された、上面とこの上面に対向する下面と、それぞれ前記上面及び前記下面と接合し、内折れする折り目が形成された対向二側面とを有する包装袋の袋口を開閉する機構を備えた開閉手段と、
前記対象物を保持しつつ前記包装袋に挿入する機構を備えた挿入手段と、
前記包装袋に前記対象物が挿入された後に折りたたまれた袋口の所定部位をシールして当該袋口を封止する封止手段と、を有しており、
前記開閉手段は、前記袋口を前記対象物の挿入方向に向けた状態でこの包装袋の上面と前記対向二側面それぞれとの二面接合部位を狭持する第一のクランプ群と、当該包装袋の下面と当該対向二側面それぞれとの二面接合部位を狭持する第二のクランプ群とを含んで構成されており、当該第一のクランプ群と当該第二のクランプ群の少なくとも一方を相反する方向に移動させることにより当該袋口を開き、当該対象物が当該包装袋に挿入された後に当該第一のクランプ群のうち前記封止手段によりシールされる部位を定める第一のクランプと、当該第二のクランプ群のうち当該封止手段によりシールされる部位を定める第二のクランプとを相互に近接する方向に移動させながらこれらのクランプを当該対象物に近づく方向に移動させ、これにより当該対象物の周囲に存在する気体を当該包装袋の外部へ押し出して当該袋口を閉じることを特徴とする、
包装システム。
【発明の詳細な説明】
【技術分野】
【０００１】
本発明は、例えば多数枚の半導体ウェーハを収容した収容用容器、あるいは半導体ウェーハを収容していない空の状態の収容用容器をプラスチック袋などの包装袋に収納して包装する包装装置に関する。
【背景技術】
【０００２】
輸送中における損傷及び汚染などを防止するため、半導体ウェーハ又はガラス基板などの基板を搬送する場合、まず、当該基板を収容容器に納め、この収容容器をさらにプラスチック製等の包装袋に収納し、袋口を封止した後に搬送される。
【０００３】
基板搬送のための包装作業を人手により行う場合には、まず、包装袋の袋口より収容容器を挿入し、包装袋内を脱気するためのバキューム管を包装袋内に挿入して脱気し、開口部を所定の形に折り込んだ後にシール部位を熱シール機に装着してシールする。
このような包装工程の全てを手作業で行う場合、包装にかなりの時間を要するだけでなく、シール面に「シワ」が発生しやすく、その結果、密封状態の悪化で輸送中に基板が汚染されてしまう、という問題がある。
【０００４】
このような問題に対して、特許文献１に開示された容器包装装置は、容器の包装工程を簡略化し、且つ、シール部分のシワを防止するというものである。具体的には、包装袋にガセットタイプの袋を用い、容器包装装置に配設されている側面上部固定手段と、側面下部固定手段により、包装袋の開口部が確実に開いた状態で位置決めする。更に、側面折りたたみ手段により、包装袋の両側面部中央の内側への折りたたみ部の折り目を外側から押して折りたたみ、その後、開口部を封止するというものである。これにより、折りたたみ位置が正しい位置で一定となるため確実に開口部を封止できるようになり、シール品質のバラツキを抑制することができる、というものである。
【先行技術文献】
【特許文献】
【０００５】
【特許文献１】特開２０１１−１９５１６４号公報
【発明の概要】
【発明が解決しようとする課題】
【０００６】
しかしながら、特許文献１に開示された容器包装装置では、側面上部固定手段と側面下部固定手段とにより開かれた包装袋の開口部から容器を挿入する。例えば、同一容器を多重包装する際には、未包装状態の容器の投影面積よりも既包装袋が存在する分だけ当該開口部に対する当該容器の投影面積が大きくなる。そのため、容器等の包装対象物を包装袋に挿入する際に、当該包装対象物が開口部（袋口）に接触してしまい「袋外れ」などのトラブルを誘発してしまう、という問題が残る。また、袋口の開口時に開口形状の四隅付近のみ固定して開口した場合、形成される開口形状は包装袋の製作寸法に基づいた長方形となるが、容器投影形状がこの長方形状の開口寸法の短辺方向または長辺方向いずれかを超えた場合、挿入は不可能となる。そのため、長方形状の開口形状をとる場合は、袋口四隅を支持して拡げて形成される長方形の長辺及び短辺寸法が容器の投影形状を超えている製作寸法を備えた袋を使用せざるを得ず、包装材に掛かるコスト及び脱気量（脱気時間）の点で不利となる。
【０００７】
また、袋口に包装対象物が接触することで生じる「袋ズレ」により、折りたたみ部を折りたたむ際に、包装袋の上面側の折り箇所と下面側の折り箇所にズレが生じてしまうことがある。その結果、後工程において開口部を封止した際のシール面に「シワ」が発生してしまい、シール品質（密封性）が低下してしまう、という課題が残る。
【０００８】
本発明は、包装対象物と袋口との接触により生じる「袋外れ」あるいは「袋ズレ」などのトラブルの発生を防止し、包装袋内の気体を外部へ押し出すことができる包装装置および包装システムを提供することを、主たる課題とする。また、密封性の高いシールを行うことができる包装装置および包装システムを提供する。
【課題を解決するための手段】
【０００９】
上記課題を解決する本発明の包装装置は、対象物を包装するための、上面とこの上面に対向する下面と、それぞれ前記上面及び前記下面と接合し、内折れする折り目が形成された対向二側面とを有する包装袋の袋口を開閉する機構を備えた開閉手段と、前記対象物を保持しつつ前記包装袋に挿入する機構を備えた挿入手段と、前記包装袋に前記対象物が挿入された後に折りたたまれた袋口の所定部位をシールして当該袋口を封止する封止手段と、を有しており、前記開閉手段は、前記袋口を前記対象物の挿入方向に向けた状態でこの包装袋の上面と前記対向二側面それぞれとの二面接合部位を狭持する第一のクランプ群と、当該包装袋の下面と当該対向二側面それぞれとの二面接合部位を狭持する第二のクランプ群とを含んで構成されており、当該第一のクランプ群と当該第二のクランプ群の少なくとも一方を相反する方向に移動させることにより当該袋口を開き、当該対象物が当該包装袋に挿入された後に当該第一のクランプ群のうち前記封止手段によりシールされる部位を定める第一のクランプと、当該第二のクランプ群のうち当該封止手段によりシールされる部位を定める第二のクランプとを相互に近接する方向に移動させながらこれらのクランプを当該対象物に近づく方向に移動させ、これにより当該対象物の周囲に存在する気体を当該包装袋の外部へ押し出して当該袋口を閉じることを特徴とする。
【００１０】
また、上記課題を解決する本発明の包装システムは、対象物を包装するための包装袋を包装装置まで搬送する搬送装置と、当該対象物の包装を行う当該包装装置とを含む包装システムであって、前記包装装置は、前記搬送装置により搬送された、上面とこの上面に対向する下面と、それぞれ前記上面及び前記下面と接合し、内折れする折り目が形成された対向二側面とを有する包装袋の袋口を開閉する機構を備えた開閉手段と、前記対象物を保持しつつ前記包装袋に挿入する機構を備えた挿入手段と、前記包装袋に前記対象物が挿入された後に折りたたまれた袋口の所定部位をシールして当該袋口を封止する封止手段と、を有しており、前記開閉手段は、前記袋口を前記対象物の挿入方向に向けた状態でこの包装袋の上面と前記対向二側面それぞれとの二面接合部位を狭持する第一のクランプ群と、当該包装袋の下面と当該対向二側面それぞれとの二面接合部位を狭持する第二のクランプ群とを含んで構成されており、当該第一のクランプ群と当該第二のクランプ群の少なくとも一方を相反する方向に移動させることにより当該袋口を開き、当該対象物が当該包装袋に挿入された後に当該第一のクランプ群のうち前記封止手段によりシールされる部位を定める第一のクランプと、当該第二のクランプ群のうち当該封止手段によりシールされる部位を定める第二のクランプとを相互に近接する方向に移動させながらこれらのクランプを当該対象物に近づく方向に移動させ、これにより当該対象物の周囲に存在する気体を当該包装袋の外部へ押し出して当該袋口を閉じることを特徴とする。
【発明の効果】
【００１１】
本発明によれば、袋口の形状が包装対象物（例えば、収容容器あるいは包装済みの収容容器）の挿入時の接触が回避される形状に整形されるとともに、整形された袋口の形状は、包装袋への包装対象物の挿入が終了するまで維持される。これにより、包装対象物と袋口との接触により生じる「袋外れ」あるいは「袋ズレ」などのトラブルの発生を防止することができる。また、シール面に「袋ズレ」に起因する「シワ」が発生しない密封性の高いシールを行うことができる。さらに、従来の袋口四隅を支持して拡げて開口を形成する方法では、収容容器寸法を超える開口形状を持つ包装袋でしか包装を行えなかったが、袋口の形状を収容容器に合わせて自在形状に構成することができる。そのため、袋口の周長が収容容器投影面積の周長を一定程度上回ってさえいれば包装を行う事ができ、従来よりもよりコンパクトな包装袋を使用することができる。
【図面の簡単な説明】
【００１２】
【図１】本実施形態に係る包装システムの全体構成の一例を示す概略平面図。
【図２】（ａ）、（ｂ）は、包装ステージにおいて、ガセット袋の袋口を開く際の各構成の動作を説明するための図。
【図３】（ａ）、（ｂ）は、包装ステージにおいて、ガセット袋の袋口を整形する際の各構成の動作を説明するための図。
【図４】（ａ）、（ｂ）は、包装ステージにおいて、収容容器をガセット袋に挿入する際の各構成の動作を説明するための図。
【図５】（ａ）、（ｂ）は、包装ステージにおいて、袋口を折りたたむ際の各構成の動作を説明するための図。
【図６】包装ステージにおいて、折りたたまれた袋口を封止する際の各構成の動作を説明するための図。
【図７】包装装置の主たる制御手順の一例を示すフローチャート。
【発明を実施するための形態】
【００１３】
以下、図面を参照して、本発明の実施の形態例を説明する。
なお、半導体ウェーハ又はガラス基板などの基板を納めた収容容器の包装に用いる包装袋として、ガセット袋を用いる場合を例に挙げて説明する。ガセット袋とは、例えばお茶用の包装袋のように「まち（ガセット部）」となる側面を有する袋である。具体的には、一端に袋口が形成され、ガセット部である対向する二つの側面（対向二側面）の中央に内折れする折り目が設けられており、この折り目を基準に対向二側面をＶ字型に折りたたむことが可能な袋である。
【００１４】
ガセット部である側面と他の側面との二面接合部位では、当該二面接合部位から外方に突出した接着帯が形成される。この接着帯は、例えば「耳」とも呼ばれている。
なお、ガセット袋は、異なる素材を組み合わせた二層構造あるいは三層構造のものがある。また、その素材は、例えばポリアミド系樹脂、ポリプロピレン、ポリエチレン、あるいはアルミニウムなどの金属が蒸着された合成樹脂等が採用されている。
しかしながら、大量生産されるガセット袋は、例えば各面を裁断・接合する際の誤差による寸法のバラつき、生産時、保管時あるは使用時における温湿度変化による伸縮（例えば、吸湿したポリエチレン樹脂の伸び及び多層フィルムにおける各層の伸び率の違いによる反り返り）などがある。そのため、収容容器を包装するときのガセット袋Ｐのコンディション（袋の状態）は必ずしも一定ではない。また、一般的にこの種の素材は伸展性に乏しく、形状変化させる際にある程度精密な位置管理を行い、変化前後の位置再現性を確保しないとシワになりやすい性質を持つ。以下、このような性質を持つガセット袋においても「袋外れ」あるいは「袋ズレ」などのトラブルの発生を防止し、シワの発生を抑止することができる包装システム、並びに、包装装置について詳細に説明する。
【００１５】
図１は、本実施形態に係る包装システムの全体構成の一例を示す概略平面図である。
図１に示す包装システムＳは、基板が納められた収容容器Ｂをガセット袋Ｐに挿入し、その後袋口をシール（封止）する密封工程が行われる包装ステージＳ１、運搬アーム１０によりガセット袋Ｐに向けて収容容器Ｂを保持・搬送する工程が行われる搬送ステージＳ２、搬送前の収容容器Ｂを保管する容器保管ステージＳ３、多数枚のガセット袋Ｐを保管する袋保管ステージＳ４を含んで構成される。なお、制御部２０は、包装システムＳに配備された各構成機器を制御する、一種のコンピュータである。
【００１６】
図１に示す運搬アーム１０は、容器保管ステージＳ３に保管されている収容容器Ｂを保持し、保持した収容容器Ｂを包装ステージＳ１に向けて搬送する。そして、運搬アーム１０は、ガセット袋Ｐの袋口から保持している収容容器Ｂを挿入する。また、収容容器Ｂを挿入した後にその保持を解除し、搬送ステージＳ２へ待避する。
図１に示すガセット袋Ｐは、袋保管ステージＳ４においては、図１に示すように、折りたたまれた状態で保管されている。ガセット袋Ｐの後端Ｆは予め封止されており、ガセット部には内側に向けて折り込むための折り目Ｇが設けられている。そして、ガセット部である側面と上面及び下面それぞれの二面接合部には、接着帯Ｄ（二面接合部位）が形成されている。接着帯Ｄは、折りたたまれた状態のガセット袋Ｐの上面側と下面側それぞれ一対ずつ形成されている。つまり、ガセット袋Ｐには合計４つの接着帯Ｄが形成されている。
【００１７】
図１に示す包装ステージＳ１には、図示しないクランプ駆動機構に接続された複数のクランプＣ、図示しないマウスピース駆動機構に接続されたマウスピースＭ、ガセット袋Ｐの上面側、下面側双方の所定部位を吸着する図示しない吸着機構が主として配備される。
包装ステージＳ１では、袋保管ステージＳ４から当該包装ステージＳ１の所定位置まで搬送されてきたガセット袋Ｐの袋口が開かれ、搬送ステージＳ２から搬送されてきた収容容器Ｂがその内部に挿入される。具体的には、上面側の接着帯Ｄを挟持した複数のクランプＣによりガセット袋Ｐの袋口が開かれ、この袋口がマウスピースＭにより収容容器Ｂの投影形状（挿入方向の断面形状）に合った形状に整形される。その後、図１に示すように、例えばガセット型袋Ｐの後端部Ｆの位置まで収容容器Ｂが挿入されてから袋口が折りたたまれ、折りたたまれた袋口が封止される。つまり、クランプＣは、袋口を開閉する開閉手段として機能する。これらの動作の詳細については、後述する。
【００１８】
図１に示す搬送ステージＳ２には、前述した運搬アーム１０が主として配備される。運搬アーム１０は、容器保管ステージＳ３に保管されている収容容器Ｂを保持するための図示しない保持機構、当該運搬アーム１０の向きを変化させたり、保持した収容容器Ｂを包装ステージＳ１へ向けて搬送したりするための図示しない搬送機構に接続される。
【００１９】
図１に示す容器保管ステージＳ３には、保管する収容容器Ｂを、工程の進捗状況に応じて順次、運搬アーム１０による保持が可能な位置まで搬送するための図示しない容器搬送機構（例えば、ベルトコンベア）が主として配備される。
なお、包装対象物である収容容器Ｂは、例えば多数枚の基板を納めた容器であったり、あるいは半導体ウェーハなどを収容する前の空の状態の容器等である。また、二重包装などの一つの容器が複数回にわたって包装される場合では、既に包装されている容器が包装対象物となる。また、以下の説明において、これらの包装対象物をワークと称する場合もある。
【００２０】
図１に示す袋保管ステージＳ４には、保管するガセット袋Ｐを、工程の進捗に応じて順次、包装ステージＳ１の所定位置まで搬送するための図示しない袋搬送機構が主として配備される。ガセット袋Ｐは、図示しない袋貯留部より１枚ずつ取り出され、袋搬送機構上に置かれる。その後ガセット袋Ｐは位置決めされ、袋搬送機構に配備された吸着機構により吸着固定され、袋搬送機構が袋保管ステージＳ４から包装ステージＳ１内の所定位置まで横移動し搬送される。このように、袋保管ステージＳ４は、ガセット袋Ｐを袋貯留部より取り出し、包装ステージＳ１まで搬送する搬送装置として機能するステージである。
【００２１】
このように、包装システムＳは、４つのステージを含んで構成される。なお、包装ステージＳ１と搬送ステージＳ２の各構成、つまりクランプＣ、マウスピースＭ、運搬アーム１０を含んだ単体の包装装置として構成することもできる。以下、本実施形態に係る包装システムＳの主たる特徴の一つである包装装置のクランプＣ、マウスピースＭそれぞれの構成及びその動作を中心に説明を進める。
【００２２】
図２は、包装ステージＳ１において、ガセット袋Ｐの袋口を開くまでの動作を説明するための図である。なお、図１で示した複数のクランプＣを、図２以降においては個々のクランプ毎に符号を付してその詳細な構成及び動作を説明する。また、ガセット袋Ｐの接着帯Ｄを合計１６個のクランプＣにより挟持する場合を一例に挙げて説明を進める。
【００２３】
＜接着帯クランプ前の準備動作＞
包装ステージＳ１に配備された図示しない吸着機構は、包装ステージＳ１の所定位置に搬送されたガセット袋Ｐの上面及び下面双方の所定部位に、例えば吸着パッドを押し当ててそれぞれの面の吸着を開始する。その後、図示しない吸着機構は、上面を吸着している吸着パッドを上方向に向けて移動させる。これにより、ガセット袋Ｐのガセット部が開いた状態、つまり上面側の接着帯Ｄと下面側の接着帯Ｄが少し離れた状態（例えば、２０［ｍｍ］程度浮かした状態）にすることができる。この動作は、後述する接着帯Ｄのクランプ動作をスムースに行うための準備動作である。
【００２４】
＜接着帯クランプ動作＞
図２（ａ）に示すクランプＬ１Ｕ、Ｌ２Ｕ、Ｌ３Ｕ、Ｌ４Ｕ、Ｌ１Ｌ、Ｌ２Ｌ、Ｌ３Ｌ、Ｌ４Ｌ、Ｒ１Ｕ、Ｒ２Ｕ、Ｒ３Ｕ、Ｒ４Ｕ、Ｒ１Ｌ、Ｒ２Ｌ、Ｒ３Ｌ、Ｒ４Ｌは、図１に示す複数のクランプＣを個別に特定したものである。
図２（ａ）を正面から見て、ガセット袋Ｐの上面左側の接着帯Ｄは、クランプＬ１Ｕ、Ｌ２Ｕ、Ｌ３Ｕ、Ｌ４Ｕにより狭持される。同様に、図２（ａ）を正面から見て、上面右側の接着帯Ｄは、クランプＲ１Ｕ、Ｒ２Ｕ、Ｒ３Ｕ、Ｒ４Ｕにより狭持される。このように、クランプＬ１Ｕ、Ｌ２Ｕ、Ｌ３Ｕ、Ｌ４Ｕ、Ｒ１Ｕ、Ｒ２Ｕ、Ｒ３Ｕ、Ｒ４Ｕは、上面側の接着帯Ｄを狭持する第一のクランプ群として機能する。
図２（ａ）を正面から見て、下面左側の接着帯Ｄは、クランプＬ１Ｌ、Ｌ２Ｌ、Ｌ３Ｌ、Ｌ４Ｌにより挟持される。同様に、図２（ａ）を正面から見て、下面右側の接着帯Ｄは、クランプＲ１Ｌ、Ｒ２Ｌ、Ｒ３Ｌ、Ｒ４Ｌにより挟持される。このように、クランプＬ１Ｌ、Ｌ２Ｌ、Ｌ３Ｌ、Ｌ４Ｌ、Ｒ１Ｌ、Ｒ２Ｌ、Ｒ３Ｌ、Ｒ４Ｌは、下面側の接着帯Ｄを狭持する第二のクランプ群として機能する。
また、各クランプそれぞれの形状は、後工程において上下に位置する各クランプそれぞれが接近するために薄型形状に形成される。各クランプは、例えば強度確保の観点から母材には金属製の薄板が用いられ、所定の圧力で接着帯Ｄを狭持できるように当該接着帯Ｄと接する接面には合成ゴムなどのコーティングを施して形成される。
なお、各クランプは、各々独立して図示しないクランプ駆動機構に接続されており、当該クランプの動作、例えば上下左右の移動又は移動の停止、クランプの開始又はその解除は、予め包装システムＳが受け付けた設定情報に基づき制御部２０が個別に制御する。
【００２５】
また、接着帯Ｄを挟持する各クランプの配置位置は、例えば収容容器Ｂのサイズ、後工程で行う袋口の折り込み、あるいは当該袋口の封止するためのシール工程など、動作を考慮した上で決定した情報が設定情報に記録されている。具体的には、図２（ａ）に示すように、例えばクランプＬ１Ｌ、Ｌ１Ｕ、Ｒ１Ｌ、Ｒ１Ｕそれぞれは、対応する接着帯Ｄの袋口側端部を挟持するようにその配置位置が設定されている。
【００２６】
また、クランプＬ３ＵとＬ４Ｕ、クランプＬ３ＬとＬ４Ｌ、クランプＲ３ＵとＲ４Ｕ、クランプＲ３ＬとＲ４Ｌそれぞれの配置間隔は、収容容器Ｂの挿入方向長さ（奥行長さ）に基づいて設定される（後述する図４参照）。つまり、クランプＬ３Ｕ、Ｌ３Ｌ、Ｒ３Ｕ、Ｒ３Ｌそれぞれは、ガセット袋Ｐに挿入された収容容器Ｂの袋口側の側面が位置する箇所で接着帯Ｄを挟持するように設定される。また、クランプＬ４Ｕ、Ｌ４Ｌ、Ｒ４Ｕ、Ｒ４Ｌそれぞれは、ガセット袋Ｐに挿入された収容容器Ｂの後端Ｆ側の側面が位置する箇所で接着帯Ｄを挟持するように設定される。
【００２７】
また、クランプＬ２ＵとＬ３Ｕ、クランプＬ２ＬとＬ３Ｌ、クランプＲ２ＵとＲ３Ｕ、クランプＲ２ＬとＲ３Ｌそれぞれの配置間隔は、クランプＬ３Ｕ、Ｌ３Ｌ、Ｒ３Ｕ、Ｒ３Ｌを基準にして、図２（ｂ）に示すガセット部の幅：Ｗのおよそ１／２の距離だけ離れた位置にクランプＬ２Ｕ、Ｌ２Ｌ、Ｒ２Ｕ、Ｒ２Ｌそれぞれが配置されるように設定される。
なお、クランプＬ１Ｕ、Ｌ２Ｕ、Ｒ１Ｕ、Ｒ２Ｕを四隅とするガセット袋Ｐの長方形の面を上側シール面と称す。また、クランプＬ１Ｌ、Ｌ２Ｌ、Ｒ１Ｌ、Ｒ２Ｌを四隅とするガセット袋Ｐの長方形の面を下側シール面と称す。なお、上側シール面と下側シール面には、袋口を封止する際にシールされる部位を含む面となる。
【００２８】
＜袋口の開口動作＞
ガセット袋Ｐの袋口の開口は、ガセット袋Ｐの下面側の接着帯Ｄを挟持しているクランプＬ１ＬからＬ４Ｌ、Ｒ１ＬからＲ４Ｌは固定しておき、上面左側の接着帯Ｄを挟持するクランプ（クランプＬ１Ｕ、Ｌ２Ｕ、Ｌ３Ｕ、Ｌ４Ｕ）、及び、上面右側の接着帯Ｄを挟持するクランプ（クランプＲ１Ｕ、Ｒ２Ｕ、Ｒ３Ｕ、Ｒ４Ｕ）それぞれを上方に向けて所定の距離だけ移動させて行う。所定の距離とは、例えばガセット部の幅：Ｗと同じ長さの距離である。これにより、図２（ｂ）に示すように、ガセット袋Ｐの袋口が開かれる。
また、ガセット袋Ｐの下面は、クランプＬ１ＬからＬ４Ｌ、Ｒ１ＬからＲ４Ｌにより当該下面全体に渡って固定されている。従って、クランプＬ１ＵからＬ４Ｕ、クランプＲ１ＵからＲ４Ｕを移動させることにより、開口動作に必要な張力（引張力）が袋全体に作用し、袋口を十分な広さにまで開口させることができる。図２（ｂ）では、一例として袋口が長方形の形状に開かれた様子を示している。袋口が開かれると同時に、折り目Ｇが設けられたガセット部が折りたたまれた状態（図２（ａ））から、広げられた状態（図２（ｂ））になる。
なお、ガセット袋Ｐの上面側の接着帯Ｄを狭持する各クランプを固定し、下面側の接着帯Ｄを狭持する各クランプを下方向に移動させて袋口を開くように構成することもできる。つまり、一方を相反する方向に移動させることにより、袋口が開くように構成することもできる。
【００２９】
図３は、包装ステージＳ１において、ガセット袋Ｐの袋口を整形する動作を説明するための図である。なお、図１で示した複数のマウスピースＭを、図３以降においては当該マウスピースＭを構成する個々のパーツ毎に符号を付してその詳細な構成を説明する。
【００３０】
＜マウスピースＭの構成例＞  
包装ステージＳ１に配備されたマウスピースＭは、図３（ａ）に示すように、主として４つの部品（部材）を含んで構成される。具体的には、図正面から見て袋口の左上側を整形するための整形部品（整形部材）１１ａ、右上側を整形するための整形部品１１ｂ、左下側を整形するための整形部品１１ｃ、右下側を整形するための整形部品１１ｄを含んで構成される。
図３（ａ）を正面から見て、袋口を構成する４辺のうち上辺は、整形部品１１ａと１１ｂにより整形される。同様に、図３（ａ）を正面から見て、袋口を構成する４辺のうち下辺は、整形部品１１ｃと１１ｄにより整形される。図３（ａ）を正面から見て、袋口を構成する４辺のうち左辺は、整形部品１１ａと１１ｃにより整形される。図３（ａ）を正面から見て、袋口を構成する４辺のうち右辺は、整形部品１１ｂと１１ｄにより整形される。このように、マウスピースＭの各整形部品は、整形手段として機能する。
【００３１】
収容容器Ｂをガセット袋Ｐに挿入する際に当該収容容器Ｂの外面と対向する各整形部品（１１ａから１１ｄ）の内側面は、収容容器Ｂの挿入時の接触が回避される形状に形成される。例えば、整形部品１１ａ、１１ｂは、挿入方向における収容容器Ｂの断面形状に合わせて、袋口の左上側及び右上側の角部を直角に整形する形状に形成される。また、整形部品１１ｃ、１１ｄは、挿入方向における収容容器Ｂの断面形状に合わせて、袋口の左下側及び右下側の角部をなだらかな曲線を描くテーパー状に整形する形状に形成される。
また、各整形部品（１１ａから１１ｄ）のサイズは、袋口の任意の１辺の長さよりも、その任意の１辺を整形する２つの整形部品を合わせた長さが小さくなるようなサイズで構成される（例えば、袋口上辺の長さ＝幅より、１１ａと１１ｂの幅の合計の方が小さくなるように構成される）。このようなサイズで各整形部品を形成することにより、各整形部品からなるマウスピースＭを袋口の中央に集合させた状態で挿入する事が可能となるため、開かれた袋口からスムースに挿入することができる。
【００３２】
また、包装ステージＳ１には、マウスピースＭに加え、さらに、袋口下辺を保護するための袋口下辺保護板１１ｅが配備されている。袋口下辺保護板１１ｅは、マウスピースＭにより袋口が整形された後に、図示しない駆動機構からの駆動力が伝達され、図３（ｂ）に示すように、袋口の下辺を覆うように回転・装着される。この袋口下辺保護板１１ｅ及びマウスピースＭにより、ガセット袋Ｐのコンディションの如何によらず、直接袋口の下辺に収容容器Ｂが引っかかってしまうことを防止することができる。具体的には、例えばガセット袋Ｐの袋口に内側あるいは外側に向かう「反り返り」が生じている場合であっても対処することができる。
また、袋口下辺保護板１１ｅにより、ガセット袋Ｐを所定の押圧力で包装ステージＳ１に押し当てるように構成することもできる。この場合、例えばガセット袋Ｐの内壁に接する袋口下辺保護板１１ｅの押圧面に、合成ゴムなどのコーティングを施したり、当該ガセット袋Ｐを挟んだ包装ステージＳ１側に合成ゴムなどのコーティングを施したりする。これにより、収容容器Ｂを挿入する際の基準面（下側基準面）が形成されるため、当該収容容器Ｂのスムースな挿入が可能になる。さらに、より確実に「袋外れ」あるいは「袋ズレ」などのトラブルの発生を防止することもできる。
なお、各整形部品は、図示しないマウスピース駆動機構に接続されており、当該整形部品の動作、例えば上下左右方向の移動又は移動の停止は、予め包装システムＳが受け付けた設定情報に基づき制御部２０が個別に制御する。また、制御部２０は、袋口下辺保護板１１ｅの動作、例えば回転開始又はその停止、正回転又は逆回転を設定情報に基づき制御する。また、マウスピースＭの各整形部品と袋口下辺保護板１１ｅを含んで成る整形手段として機能するように構成することもできる。
【００３３】
＜袋口の整形動作＞
マウスピースＭは、袋口に挿入される前には、当該袋口のサイズよりも小さいサイズになるように各整形部品（１１ａから１１ｄ）が袋口の中心付近に集合した状態で所定位置（例えば、図３（ａ）に示すような袋口前）に配置される。マウスピースＭは、この状態で袋口から挿入される。そして、図３（ｂ）に示すように、袋口の四隅方向へ向けて各整形部品が移動して当該袋口の形状を整形する。つまり、各整形部品は、袋口の中心位置からそれぞれ異なる放射方向に向けて移動することにより、袋口の形状が強制的に整形される。
また、マウスピースＭ（整形部品１１ａ、１１ｂ、１１ｃ、１１ｄ）、及び袋口下辺保護板１１ｅは、挿入の際に収容容器Ｂ（多重包装時は収容容器Ｂを内包する包装袋）が直接袋口に接触してしまうことを防止する。そのため、例えば、二重包装の際の二回目の包装における「袋外れ」の発生を防止することができる。
【００３４】
袋口の整形形状を決定する各整形部品の移動停止位置は、各マウスピース駆動機構に配備された図示しない張力センサによる袋口に作用する引張力の検知結果に基づき、所定の基準値を超えた引張力が確保できた位置で停止するように制御される。
上記したように、ガセット袋Ｐのコンディションは必ずしも一定ではない。張力センサの検知結果に基づき各整形部品の移動制御をすることにより、例えば、ガセット袋Ｐのサイズ誤差（バラつき）があった場合においても、袋口周辺の引張力を確保することができる。つまり、マウスピースＭが袋口を整形する際に付与する引張力により、各整形部品の外側面とガセット袋Ｐの内壁との間に摩擦力が生じる。この摩擦力により袋口を内面から強固に保持し、収容容器Ｂを挿入する際の当該収容容器Ｂの外面とガセット袋Ｐの内壁との接触摩擦に起因する「袋外れ」の発生を防ぐことができる。
なお、各整形部品の移動の制御は、引張力の検知結果に基づいた制御に限定するものではなく、例えば位置による制御を行っても良い。
【００３５】
図４は、包装ステージＳ１において、収容容器Ｂをガセット袋Ｐに挿入する動作を説明するための図である。
図４（ａ）は、運搬アーム１０（不図示）に保持された収容容器ＢがマウスピースＭ（整形部品１１ａ、１１ｂ、１１ｃ、１１ｄ）、及び袋口下辺保護板１１ｅにより整形された袋口から挿入される様子を模式的に示している。
このように、マウスピースＭ（整形部品１１ａ、１１ｂ、１１ｃ、１１ｄ）、及び袋口下辺保護板１１ｅによりガセット袋Ｐの袋口が保持及び保護された状態で、収容容器Ｂが挿入される。そのため、収容容器Ｂが直接袋口に引っかかることで生じる「袋外れ」等の重大トラブルの発生頻度を飛躍的に軽減することができる。
【００３６】
図４（ｂ）は、収容容器Ｂを袋奥まで挿入した後にその保持を解除した運搬アーム１０が搬送ステージＳ２へと退避し、その後、マウスピースＭ及び袋口下辺保護板１１ｅによる袋口の整形が解除される様子を模式的に示している。
袋口の整形を解除する際のマウスピースＭは、袋口の開口サイズよりも小さいサイズになるように各整形部品（１１ａから１１ｄ）が中心付近に集合した状態となった後に、当該袋口から退避するように動作する。また、袋口下辺保護板１１ｅは、袋口の下辺を覆う際とは逆方向に回転して装着状態を解除するように動作する。このように、マウスピースＭ及び袋口下辺保護板１１ｅの動作を制御することにより袋口の整形状態を解除する。
【００３７】
＜袋口の折りたたみ動作＞
図５は、包装ステージＳ１における袋口の折りたたみ動作を説明するための図である。袋口の折りたたみは、図５（ａ）に示す折板１２ａ、折板１２ｂ、クランプＬ１Ｕ、Ｌ２Ｕ、Ｌ１Ｌ、Ｌ２Ｌ、Ｒ１Ｕ、Ｒ２Ｕ、Ｒ１Ｌ、Ｒ２Ｌが動作して行う。
【００３８】
図５（ａ）に示す折板１２ａ、１２ｂは、包装ステージＳ１に配備されており、袋口を折りたたむ際の折り目Ｇの折り込みを行う。折板１２ａ、１２ｂそれぞれは、図示しない折板駆動機構と接続されており、これらは側面折手段として機能する。
折板１２ａは、図５（ａ）に示すように、左側の折り目Ｇの外側に当接し、且つ、当該折板１２ａの移動方向端部（先端部）がクランプＬ２ＵとクランプＬ２Ｌを結ぶ直線上に到達するまで待機位置から移動（収容容器挿入方向に前進）する。その後、折板１２ａは、図５（ｂ）に示すように、後述する各クランプの折りたたみ動作と連動して当該折り目Ｇを折り込む動作を開始する。
折板１２ｂは、図５（ａ）に示すように、右側の折り目Ｇの外側に当接し、且つ、当該折板１２ｂの移動方向端部（先端部）がクランプＲ２ＵとクランプＲ２Ｌを結ぶ直線上に到達するまで待機位置から移動（収容容器挿入方向に前進）する。その後、折板１２ｂは、図５（ｂ）に示すように、後述する各クランプの折りたたみ動作と連動して当該折り目Ｇを折り込む動作を開始する。
【００３９】
袋口を折りたたむ際のクランプＬ１Ｕ、Ｌ２Ｕ、Ｒ１Ｕ、Ｒ２Ｕの動作は、図５（ｂ）に示すように、これらを四隅とする上側シール面が弛まないように所定の引張力で張架された状態（シワが生じない状態）を維持しつつ一体的に移動する。つまり、本実施形態の包装システムＳでは、水平状態を維持したまま上側シール面が収容容器Ｂの袋口側の側面中心に向けて移動するようにクランプＬ１Ｕ、Ｌ２Ｕ、Ｒ１Ｕ、Ｒ２Ｕそれぞれの動作が制御される。
また、クランプＬ１Ｌ、Ｌ２Ｌ、Ｒ１Ｌ、Ｒ２Ｌの動作は、これらを四隅とする下側シール面が弛まないように所定の引張力で張架された状態を維持しつつ一体的に移動する。つまり、包装システムＳでは、水平状態を維持したまま下側シール面が収容容器Ｂの袋口側の側面中心に向けて移動するようにクランプＬ１Ｌ、Ｌ２Ｌ、Ｒ１Ｌ、Ｒ２Ｌそれぞれの動作が制御される。なお、それぞれの面に付与する引張力は、ガセット袋Ｐのサイズ、厚み等を考慮して設定される。
以下、代表して袋口を折りたたむ際の上側シール面のクランプＬ１Ｕ、Ｌ２Ｕと下側シール面のクランプＲ１Ｌ、Ｒ２Ｌの動作を例に挙げて詳細に説明する。
【００４０】
クランプＬ２Ｕは、図５（ｂ）に示すように、クランプＬ３Ｕを支点にして円弧状の軌道を描き、当該クランプＬ３Ｕに対して水平に位置した状態から垂直に位置する状態になるまで移動する。また、図２で既に説明したように、クランプＬ２ＵとクランプＬ３Ｕの間の距離は、ガセット部の幅：Ｗのおよそ１／２の距離である。また、水平状態を維持したまま上側シール面が移動するようにクランプＬ１Ｕ及びクランプＬ２Ｕの動作が制御される。そのため、クランプＬ１Ｕ及びクランプＬ２Ｕの移動に伴い、上側シール面は、水平状態を維持したまま収容容器Ｂの袋口側の側面に近づきながら、且つ、折り目Ｇの位置まで下降するように移動する。なお、クランプＲ１ＵはクランプＬ１Ｕと、クランプＲ２ＵはクランプＬ２Ｕと同様の動作を行うように制御される。
【００４１】
クランプＲ２Ｌは、図５（ｂ）に示すように、クランプＲ３Ｌを支点にして円弧状の軌道を描き、当該クランプＲ３Ｌに対して水平に位置した状態から垂直に位置する状態になるまで移動する。また、図２で既に説明したように、クランプＲ２ＬとクランプＲ３Ｌの間の距離は、ガセット部の幅：Ｗの１／２の距離である。また、水平状態を維持したまま下側シール面が移動するようにクランプＲ１Ｌ及びクランプＲ２Ｌの動作が制御される。そのため、クランプＲ１Ｌ及びクランプＲ２Ｌの移動に伴い、下側シール面は、水平状態を維持したまま収容容器Ｂの袋口側の側面に近づきながら、且つ、折り目Ｇの位置まで上昇するように移動する。なお、クランプＬ１ＬはクランプＲ１Ｌと、クランプＬ２ＬはクランプＲ２Ｌと同様の動作を行うように制御される。
【００４２】
つまり、包装システムＳにおいては、クランプＬ１ＵとクランプＬ１Ｌ、クランプＬ２ＵとクランプＬ２Ｌ、クランプＲ１ＵとクランプＲ１Ｌ、クランプＲ２ＵとクランプＲ２Ｌが相互に近接させることにより袋口が折りたたまれる。
また、例えばクランプＬ１Ｕ（あるいはクランプＬ２Ｕ、Ｒ１Ｕ、Ｒ２Ｕ）とクランプＬ１Ｌ（あるいはクランプＬ２Ｌ、Ｒ１Ｌ、Ｒ２Ｌ）との間の距離が、例えば１０［ｍｍ］以下に近接した場合に当該折りたたみが完了したものとする。クランプＬ１ＵとランプＬ１Ｌとの距離は、図示しない位置センサにより検知することができる。その他、折りたたみ完了の検知は、折り目Ｇの折り込みを行う折板１２ａ、折板１２ｂの移動の停止を折板駆動機構が検知することにより行うこともできる。
なお、板１２ａ、１２ｂそれぞれは、袋口の折り込み完了を契機に袋口から抜き取られて、待機位置まで移動するように制御する。また、図示しない脱気機構によりガセット袋Ｐ内の空気を脱気しながら袋口を折りたたむように構成することもできる。この場合には、袋口の折りたたみ開始時に、例えば脱気機構に接続された脱気ノズルを袋口から挿入し、折りたたみ完了後、所定量の脱気動作を行った後に当該脱気ノズルを袋口から抜き取るように制御する。
【００４３】
＜袋口の封止動作＞
図６は、包装ステージＳ１において、袋口を封止する動作を説明するための図である。
図６に示す上シール台１３ａ、下シール台１３ｂは、包装ステージＳ１に配備されており、ガセット袋Ｐのシール面を上下方向から挟んで加熱することにより袋口の封止を行う。上シール台１３ａ、下シール台１３ｂそれぞれは、図示しないシール台駆動機構に接続されている。また、上シール台１３ａ、下シール台１３ｂそれぞれがシール面に当接する部位には、当該シール面を加熱するための発熱部Ｈが設けられている。
上シール台１３ａは、待機位置である上側シール面の上方から当該上側シール面に向かって下降するように移動する。下シール台１３ｂは、待機位置である下側シール面の下方から当該下側シール面に向かって上昇するように移動する。図６に示すように、上シール台１３ａ、下シール台１３ｂは、上側シール面と下側シール面を上方及び下方から所定の圧力をかけながら所定の時間だけ加熱して融着シールする。シール面上で融着シールする面積、加熱時間、加熱温度などは、ガセット袋Ｐの厚み、素材の材質等に応じて適宜設定する。
融着シールの完了後、上シール台１３ａ、下シール台１３ｂは、待機位置に退避するように動作する。
その後、融着シール完了後のシール面（袋口予長部位）は、図示しない整袋手段が下方向に折り曲げて整袋し固定される。このようにして、一連の包装動作が完了する。
【００４４】
＜包装処理の制御手順＞
次に、包装システムＳにおける包装処理手順について説明する。図７は、包装処理方法を実行する際の制御部２０による主要な制御手順の説明図である。
制御部２０は、包装システムＳのオペレータによる開始指示の入力受付を契機に制御を開始する。制御部２０は、所定の初期処理後、袋保管ステージＳ４から包装ステージＳ１へのガセット袋Ｐの搬送、容器保管ステージＳ３に保管されているワーク（収容容器Ｂ）を運搬アーム１０が保持し、搬送ステージＳ２まで搬送するなどの前処理が終了したか否かを判別する（Ｓ１０１）。前処理が終了したと判別した場合（Ｓ１０１：Ｙｅｓ）、制御部２０は、図示しないクランプ駆動機構に指示を出し、各クランプ（Ｌ１ＵからＬ４Ｕ、Ｌ１ＬからＬ４Ｌ、Ｒ１ＵからＲ４Ｕ、Ｒ１ＬからＲ４Ｌ）それぞれを所定の配置位置に移動させて、接着帯Ｄの挟持（クランプ）を開始させる（Ｓ１０２）。また、そうでない場合（Ｓ１０１：Ｎｏ）、制御部２０は、前処理が終了するまで次処理への移行を待機する。
【００４５】
制御部２０は、ガセット袋Ｐの袋口を開く（開口）ために、図示しないクランプ駆動機構に指示を出し、当該ガセット袋Ｐの上面側の接着帯Ｄを挟持するクランプＬ１Ｕ、Ｌ２Ｕ、Ｌ３Ｕ、Ｌ４Ｕ、Ｒ１Ｕ、Ｒ２Ｕ、Ｒ３Ｕ、Ｒ４Ｕを上方に移動させる（Ｓ１０３）。袋口が開かれたことを図示しないセンサにより検知した場合（Ｓ１０３：Ｙｅｓ）、制御部２０は、図示しないマウスピース駆動機構に指示を出し、マウスピースＭを袋口から挿入させる（Ｓ１０４）。また、そうでない場合（Ｓ１０３：Ｎｏ）、ステップＳ１０３の処理に戻る。なお、袋口が開かれたことの検知は、例えばクランプＬ１Ｕ、Ｌ２Ｕ、Ｌ３Ｕ、Ｌ４Ｕ、Ｒ１Ｕ、Ｒ２Ｕ、Ｒ３Ｕ、Ｒ４Ｕそれぞれが上方の所定位置まで移動したことを検知する位置センサ、あるいは折りたたまれた状態のガセット部が袋口の開口に伴い平面になったことを検知する近接センサなどを用いて検知することができる。
【００４６】
制御部２０は、図示しないマウスピース駆動機構に指示を出し、マウスピースＭを構成する各整形部品（整形部品１１ａから１１ｄ）及び袋口下辺保護板１１ｅにより袋口を整形させる（Ｓ１０５）。制御部２０は、図示しない張力センサの検知結果に基づき袋口の整形が完了したと判別した場合（Ｓ１０５：Ｙｅｓ）、図示しない搬送機構に指示を出し、運搬アーム１０が保持するワーク（収容容器Ｂ）をガセット袋Ｐ内の所定位置まで挿入させる（Ｓ１０６）。また、そうでない場合（Ｓ１０５：Ｎｏ）、ステップＳ１０５の処理に戻る。
制御部２０は、ワーク挿入完了の検知を契機に、図示しない搬送機構に指示を出し、運搬アーム１０のワーク保持の解除及び搬送ステージＳ２へ退避させた後に、図示しないマウスピース駆動機構に指示を出し、マウスピースＭを袋口から離脱させる（Ｓ１０７）。なお、ワーク挿入完了の検知は、例えば運搬アーム１０が所定位置まで移動したこと検知する位置センサなどを用いて検知することができる。
【００４７】
制御部２０は、図示しない折板駆動機構に指示を出し、折板１２ａ、１２ｂを折り込み開始位置まで移動させる（Ｓ１０８）。制御部２０は、図示しないクランプ駆動機構、図示しない折板駆動機構に指示を出し、各クランプ及び折板１２ａ、１２ｂによる袋口の折たたみを開始させる（Ｓ１０９）。制御部２０は、袋口の折りたたみが完了したか否かを判別する（Ｓ１１０）。袋口の折りたたみが完了したと判別した場合（Ｓ１１０：Ｙｅｓ）、制御部２０は、図示しない折板駆動機構に指示を出し、折板１２ａ、１２ｂを袋口から離脱させる（Ｓ１１１）。また、そうでない場合（Ｓ１１０：Ｎｏ）、ステップＳ１１０の処理に戻る。
【００４８】
制御部２０は、図示しないシール台駆動機構に指示を出し、上シール台１３ａ、下シール台１３ｂをシール開始位置まで移動させて、その後融着シールを開始させる（Ｓ１１２）。融着シールが完了した場合（Ｓ１１３：Ｙｅｓ）、制御部２０は、図示しないシール台駆動機構に指示を出し、上シール台１３ａ、下シール台１３ｂを待機位置まで移動させた後に、図示しないクランプ駆動機構に指示を出し、各クランプによる接着帯Ｄの挟持を解除させる（Ｓ１１４）。また、そうでない場合（Ｓ１１３：Ｎｏ）、ステップＳ１１３の処理に戻る。このようにして、一連の処理が終了する。
【００４９】
このように、本実施形態に係る包装システムＳあるいは包装装置では、マウスピースＭにより、袋口の形状がワーク毎に合わせて当該ワーク挿入時の接触が回避される形状に強制的に整形されるとともに、整形された袋口の形状は、ガセット袋Ｐへのワーク挿入が終了するまで維持される。つまり、袋口の周長が収容容器の周長を上回っていれば、袋口の形状をワーク毎の投影形状、つまり挿入方向のワーク断面の形状に合わせて整形することができる。これにより、袋口の高さ、あるいは幅よりも大きいサイズのワークを挿入する際に、袋口とワークとの干渉（接触）による「袋外れ」などのトラブルの発生を未然に防ぐことができる。また、二重包装などの場合における包装対象ワークの形状変化に起因する「袋外れ」などのトラブルの発生も抑止される。
【００５０】
また、マウスピースＭが袋口を整形する際に付与する引張力により、ガセット袋Ｐを保持するために必要な各整形部品の外側面とガセット袋Ｐの内壁との摩擦力を確保することができる。これにより、ワークを挿入する際の当該ワークの外面とガセット袋Ｐの内壁との接触、摩擦に起因する「袋外れ」等の重大トラブルの発生頻度を飛躍的に低減することができる。さらに、寸法の異なる多品種の袋を用いた包装においても、段取り替えをせずに柔軟に対応することができる。
【００５１】
また、袋口の折りたたみは、上側シール面と下側シール面それぞれの面が弛まないように張った状態（シワが生じない状態）を維持しながら各クランプが移動することにより行われる。これにより、融着シールする際のシール品質（密封性）の向上を図ることができる。さらに、袋口の折りたたみでは、ワークを収納したガセット袋Ｐが引きずられることなく、当該袋口が折りたたまれる。そのため、不要なテンションがガセット袋Ｐにかかることがなくなり、より確実に上側シール面と下側シール面それぞれの面が弛まないように張った状態を維持することができる。
【００５２】
また、袋口の折りたたみの際の上側シール面のクランプＬ２ＵとＲ２Ｕ、下側シール面のクランプＬ２ＬとＲ２Ｌの移動により、ガセット袋Ｐ内のワークの周囲に存在する気体、特に袋口側の空間の気体が外へ押し出される。そのため、ガセット袋Ｐ内の気体を効率よく外部へ排出することができる。
加えて、従来の袋口四隅を支持して拡げて開口を形成する方法では、収容容器寸法を超える開口形状を持つ包装袋でしか包装を行えなかったが、本実施形態に係る包装システムＳあるいは包装装置では、袋口の形状を収容容器に合わせて自在形状に構成することができる。そのため、袋口の周長が収容容器投影面積の周長を一定程度上回ってさえいれば包装を行う事ができ、従来よりもよりコンパクトな包装袋を使用することができる。
【００５３】
上記説明した実施形態は、本発明をより具体的に説明するためのものであり、本発明の範囲が、これらの例に限定されるものではない。
【符号の説明】
【００５４】
１０…運搬アーム、１１ｅ…袋口下辺保護板、１２ａ、１２ｂ…折板、１３ａ、１３ｂ…シール台、２０…制御部、Ｂ…収容容器、Ｃ（Ｌ１Ｕ、Ｌ２Ｕ、Ｌ３Ｕ、Ｌ４Ｕ、Ｌ１Ｌ、Ｌ２Ｌ、Ｌ３Ｌ、Ｌ４Ｌ、Ｒ１Ｕ、Ｒ２Ｕ、Ｒ３Ｕ、Ｒ４Ｕ、Ｒ１Ｌ、Ｒ２Ｌ、Ｒ３Ｌ、Ｒ４Ｌ）…クランプ、Ｄ…接着帯、Ｇ…折り目、Ｆ…後端部、Ｍ（１１ａ、１１ｂ、１１ｃ、１１ｄ）…マウスピース、Ｐ…ガセット袋、Ｓ・・・包装システム、Ｓ１…包装ステージ、Ｓ２…搬送ステージ、Ｓ３…容器保管ステージ、Ｓ４…袋保管ステージ。
【要約】      （修正有）【課題】包装対象物の投影面積の変化により生じる「袋外れ」などのトラブルの発生を防止することができる包装装置および包装システムを提供する。【解決手段】包装システムは、一端に袋口が形成された横置き状態のガセット袋の袋口を開閉するための複数のクランプ、包装対象物である収容容器Ｂをガセット袋に挿入するための運搬アームを有する。また、包装システムは、開らかれた袋口の内側からそれぞれ異なる放射方向へ向けて移動する整形部材１１ａ、１１ｂ、１１ｃ、１１ｄを備え、これらにより袋口の形状を収容容器Ｂ毎の挿入時の接触が回避される形状に強制的に整形するとともに、整形された袋口の形状を、ガセット袋への収容容器Ｂの挿入が終了するまで維持させる。【選択図】図４【図１】
0005547840.tif 000002
【図２】
0005547840.tif 000003
【図３】
0005547840.tif 000004
【図４】
0005547840.tif 000005
【図５】
0005547840.tif 000006
【図６】
0005547840.tif 000007
【図７】
0005547840.tif 000008